(57)【要約】【課題】取付部材の態様に応じつつ汎用性に優れた固定金具を提供する。【解決手段】上下方向に同一ピッチで複数の係止孔２０を有する２つの柱材２に装着可能な第一金具５と、第一金具４に装着可能な第二金具７とからなり、第一金具５は、柱材２の係止孔２０の少なくともいずれか１つに係止可能な第一係止部５１と、第二金具７を装着するための第一係止孔５３とを有し、第二金具７は、第一係止孔５３に係止可能な第二係止部７１と、取付部材３を支持するための支持部７２を有している。【選択図】図９
2013181307.tif 000002
【特許請求の範囲】
【請求項１】
上下方向に同一ピッチで複数の係止孔を有する２つの柱材の間に、所定の取付部材を固定するための固定金具であって、前記柱材に装着可能な第一金具と、この第一金具に装着可能な第二金具とからなり、
前記第一金具は、前記柱材の係止孔の少なくともいずれか１つに係止可能な第一係止部と、前記第二金具を装着するための第一係止孔とを有し、
前記第二金具は、前記第一係止孔に係止可能な第二係止部と、前記取付部材を支持するための支持部を有していることを特徴とする固定金具。
【請求項２】
前記柱材の配置される位置に応じて、前記第一係止部と前記第一係止孔の配置態様が異なる複数種類の第一金具と、
左右対称に形成された少なくとも一対の第二金具が設けられていることを特徴とする請求項１記載の固定金具。
【請求項３】
前記取付部材は、少なくとも側端部に所定のピッチで開口部が形成された面状の垂下体であって、
前記第二金具には、前記支持部として前記垂下体の上部に位置する開口部に掛止可能な掛止部を備えた左右対称な一対の引掛金具と、前記支持部として前記垂下体の側端下部を差し込んで垂下体の前後方向の移動を規制する差込部を備えた左右対称な一対の保持金具と、が設けられていることを特徴とする請求項１又は２記載の固定金具。
【発明の詳細な説明】
【技術分野】
【０００１】
本発明は、縦方向に複数のスリットが形成されたいわゆるガチャ柱に取り付ける固定金具に関する。
【背景技術】
【０００２】
展示会などで使用される間仕切りユニットにおいて、パネルを連結する柱材に、金具を装着可能なスリットを有するいわゆるガチャ柱と呼ばれるものを使用して、このガチャ柱のスリットにフックを引っ掛けて棚などを取り付けるようにしたものが考案されている（特許文献１参照）。
【先行技術文献】
【特許文献】
【０００３】
【特許文献１】特開２０１１−１７４２２０号公報
【発明の概要】
【発明が解決しようとする課題】
【０００４】
しかし、柱の間に取付部材を取り付ける場合、取り付ける柱がどこに位置しているか、すなわち、間仕切りの端部に位置しているのか、複数のパネルの間に位置しているのか、あるいはコーナー部分に位置しているものかによって、固定金具の形状を変えなければならない。そして、様々な態様の取付部材を取り付けようとすると、取付部材の態様に応じた固定金具を、取り付ける柱ごとに設けなければならず、製造コストが嵩むという問題点がある。
また、例えば鋼線を格子状に組んだメッシュ部材のような、上下方向に長さがあり、部材自体に開口部が形成されているものは、開口部に金具を引っ掛けて吊り下げることが可能であるが、上下の端部を金具に係止するとき、吊り下げようとする取付部材の開口部のピッチは柱に形成されているスリットのピッチと同一ではないので、スリットに装着した金具の係止部が取付部材の開口部と合致せず、適正に係止できない場合がある。
【０００５】
そこで、本願発明は、取付部材の態様に応じつつ汎用性に優れた固定金具を提供することを目的とする。
【課題を解決するための手段】
【０００６】
以下、本願発明の特徴点を説明する。なお、括弧内の符号は、発明の実施の形態において用いた符号を示し、本発明の技術的範囲を限定するものではない。
（請求項１）
請求項１記載の発明は、上下方向に同一ピッチで複数の係止孔（スリット20）を有する２つの柱材(2)の間に、所定の取付部材を固定するための固定金具であって、前記柱材(2)に装着可能な第一金具（両側取付金具4、片側取付金具5、コーナー取付金具6）と、この第一金具(4,5,6)に装着可能な第二金具（引掛金具7、振れ止め金具8）とからなる。前記第一金具(4,5,6)は、前記柱材(2)の係止孔(20)の少なくともいずれか１つに係止可能な第一係止部（フック41,51,61）と、前記第二金具(7,8)を装着するための第一係止孔（スリット43,53,63）とを有し、前記第二金具(7,8)は、前記第一係止孔(43,53,63)に係止可能な第二係止部（フック71,81）と、前記取付部材を支持するための支持部（掛止部72、差込部80）を有していることを特徴とする。
【０００７】
（作用）
２つの柱材(2)のそれぞれの係止孔(20)に、第一金具(4,5,6)の第一係止部(41,51,61)を係止させて、各柱材(2)に第一金具(4,5,6)を装着する。ここで、第一係止部(41,51,61)は複数設けられていてもよい。また、２つの柱材(2)に装着する第一金具(4,5,6)は同じ形状のものとすることができ、あるいは、左右対称の形状のものとすることができる。柱材(2)に装着した第一金具(4,5,6)の第一係止孔(43,53,63)に、第二金具(7,8)の第二係止部(71,81)を係止させて、各第一金具(4,5,6)に第二金具(7,8)を装着する。ここで、第一係止孔(43,53,63)は複数設けられていてもよく、第二係止部(71,81)も複数あってもよい。第二金具(7,8)は、同じ形状のものとすることができ、あるいは、左右対称の形状のものとすることができる。第一金具(4,5,6)に装着した第二金具(7,8)の支持部(72,80)に取付部材を支持させて、２つの柱材(2)の間に取り付ける。取付部材は、棒材やパネル材などとすることができ、「支持部」は取り付ける取付部材に応じた形状に形成されている。例えば板状、網状の取付部材を吊り下げ可能な鉤部や、棒状の取付部材の端部を保持する受け部などとすることができる。
【０００８】
本発明によれば、２つの第一金具(4,5,6)が水平に位置するように柱材(2)に装着しておいてから、取付部材を取り付けることができるので、左右の位置合わせをしながら取付部材を取り付ける場合よりも容易に作業を行うことができる。
（請求項２）
請求項２記載の発明は、上記した請求項１記載の発明の特徴点に加え、前記柱材(2)の配置される位置に応じて、前記第一係止部(41,51,61)と前記第一係止孔(43,53,63)の配置態様が異なる複数種類の第一金具(4,5,6)と、左右対称に形成された少なくとも一対の第二金具(7,8)が設けられていることを特徴とする。
【０００９】
ここで、「柱材(2)の配置される位置に応じて」とは、
本発明によれば、取付部材の形状に合わせた第二金具を複数種類設けておくことにより、第一金具を共用できるので、コストダウンにつながる。
（請求項３）
請求項３記載の発明は、上記した請求項１又は２記載の発明の特徴点に加え、前記取付部材は、少なくとも側端部に所定のピッチで開口部が形成された面状の垂下体（メッシュ部材3）であって、前記第二金具(7,8)には、前記支持部として前記垂下体(3)の上部に位置する開口部に掛止可能な掛止部(72)を備えた左右対称な一対の引掛金具(7)と、前記支持部として前記垂下体(3)の側端下部を差し込んで垂下体(3)の前後方向の移動を規制する差込部(80)を備えた左右対称な一対の保持金具と、が設けられていることを特徴とする。
【００１０】
本発明によれば、メッシュ部材(3)などを吊り下げる場合に、位置あわせが簡単にできる。
【発明の効果】
【００１１】
本発明は、以上のように構成されているので、取付部材の態様に応じつつ汎用性に優れた固定金具を提供することができる。
【図面の簡単な説明】
【００１２】
【図１】本発明の実施の形態であって、柱材にメッシュ部材を取り付けたパネル部材の斜視図である。
【図２】柱材に取付金具を装着した状態を示す斜視図である。
【図３】両側取付金具の斜視図である。
【図４】片側取付金具の斜視図である。
【図５】コーナー取付金具の斜視図である。
【図６】引掛金具の斜視図である。
【図７】振れ止め金具の斜視図である。
【図８】柱材にメッシュ部材を取り付けた拡大斜視図である。
【図９】図８のＡ部分の拡大斜視図である。
【図１０】図８のＢ部分の拡大斜視図である。
【発明を実施するための形態】
【００１３】
本発明の好適な実施の形態を、図面に基づき説明する。
本実施の形態における固定金具は、展示場などの床面に設置して出展企業のブースを作成するための間仕切りユニットに使用されるものである。間仕切りユニットは、図１に示すように、大きく分けて、間仕切りの壁面を成すパネル部材１と、パネル部材１の両端部に固定され複数のパネル部材１を連結するための柱材２とから構成されている。そして、２つの柱材２の間には、固定金具を介して、垂下体としてのメッシュ部材３が取り付けられている。メッシュ部材３は、方形の枠部30の枠内に、鋼線を縦横に格子状に配した網部31を設けたものであり、網部31の横線にフックなどを引っかけて展示物を吊したり、籠や棚を取り付けたりすることができるようになっている。
【００１４】
ここで、柱材２には、縦長のスリット20が複数個、同一ピッチで縦方向に並んで形成されており（図２、図９、図１０参照）、柱材２のスリット20が設けられた面はパネル部材１の継ぎ目から表出している。固定金具は、このスリット20に装着されるものである。固定金具としては、柱材２に装着される中間金具と、中間金具に装着される係止金具とから構成されている。係止金具は、メッシュ部材３を直接係止するための金具であり、中間金具は係止金具を間接的に柱材２に固定するためのものである。以下、各固定金具について詳述する。なお、各部材の正面背面側面あるいは前後左右上下の方向は、パネル部材１の板面を正面として、各部材が柱材２に取り付いた状態でパネル部材１を正面視したときに位置する面及び方向をいうものとする。
【００１５】
（中間金具）
中間金具は、柱材２に装着される第一金具であって、図２に示すように、両側取付金具４と、片側取付金具５と、コーナー取付金具６とが設けられている。
両側取付金具４は、柱材２のうち、並列する２枚のパネル部材１の各側端部を連結する中間柱2A（図２参照）に装着するための中間金具である。ここで、中間柱2Aは、正面側にスリット20が形成されている。両側取付金具４は、図３に示すように、平板部40と、平板部40の背面に設けられたフック41と、平板部40の正面に設けられた２つの柱部42とを有している。フック41は、両側取付金具４を背面視した図３（Ｂ）に示すように、平板部40から水平方向に張り出し下側に屈曲する側面視鉤型に形成された薄板部材であり、平板部40の横方向の中心に、縦方向に並んで３つ設けられている。柱部42は、両側取付金具４を正面視した図３（Ａ）に示すように、平板部40の正面の両端部に、高さ方向にわたって設けられた中空の角柱であり、柱部42の正面側には、中空部42aと連通する縦長のスリット43が、縦方向に並んで３つ形成されている。スリット43のピッチ及び寸法は、柱材２のスリット20と同じであってもよいし、異なっていてもよい。そして、両側取付金具４は、フック41を柱材２のスリット20に係止させることにより、図２に示すように、２つの柱部42が柱材２（中間柱2A）の両側に位置した状態で柱材２に装着される。
【００１６】
片側取付金具５は、柱材２のうち、端部に配置されるパネル部材１の側端部に位置する側柱2Bに装着するための中間金具である。ここで、側柱2Bも、中間柱2Aと同様に正面側にスリット20が形成されている。片側取付金具５、図４に示すように、両側取付金具４の平板部40よりも横幅寸法が小さく形成された平板部50と、平板部50の背面に設けられたフック51と、平板部50の正面に設けられた１つの柱部52とを有している。フック51は、両側取付金具４のフック41と同形状であり、平板部50の背面端部に設けられている。柱部52は、両側取付金具４の柱部42と同形状であり、平板部50の正面であってフック51と反対側の端部に設けられている。そして、片側取付金具５は、フック51を柱材２のスリット20に係止させることにより、図２に示すように、柱部52が柱材２（側柱2B）の外側（パネル部材１の中心側）に位置した状態で柱材２に装着される。
【００１７】
ここで、片側取付金具５としては、図４に示すように、左右対称に形成された一対が設けられており、取り付けたとき図２に示すように柱材２の右側に柱部52が位置する右用片側取付金具5Aと、図示しないが、柱材２の左側に柱部52が位置する左用片側取付金具5Bが設けられている。本実施の形態においては、右用片側取付金具5Aのみが使用されている。
コーナー取付金具６は、柱材２のうち、パネル面が直角になるよう配置された２枚のパネル部材１の側端部を連結するコーナー柱2Cに装着するための中間金具である。ここで、コーナー柱2Cは、側面側（図２における左側）にスリット20が設けられている。コーナー取付金具６は、図５に示すように、片側取付金具５の平板部50よりも横幅寸法が小さく形成された平板部60と、平板部60の側端部に設けられたフック61と、平板部60の正面に設けられた１つの柱部52とを有している。フック61は、両側取付金具４のフック41と同形状である。柱部62は、両側取付金具４の柱部42と同形状であり、平板部60の正面であってフック61と反対側の端部に設けられている。そして、コーナー取付金具６は、フック61を柱材２のスリット20に係止させることにより、図２に示すように、柱部62が柱材２（コーナー柱2C）の外側（パネル部材１の中心側）に位置した状態で柱材２に装着される。
【００１８】
ここで、コーナー取付金具６としては、図５に示すように、左右対称に形成された一対が設けられている。そして、コーナー取付金具６としては、取り付けたとき図２に示すように柱材２の左側に柱部62が位置する左用コーナー取付金具6Aと、取り付けたとき図示しないが柱材２の右側に柱部62が位置する右用コーナー取付金具6Bが設けられている。本実施の形態においては、左用コーナー取付金具6Aのみが使用されている。
上記した３種類の中間金具は、図１に示すように、柱材２の高さ方向中程よりも上側に、それぞれ２つずつ装着される。すなわち、パネル部材１の側端部に位置する柱材２（側柱2B）には片側取付金具５が上下に２つ取り付けられ、２枚のパネル部材１の中間に位置する柱材２（中間柱2A）には両側取付金具４が上下に２つ取り付けられ、コーナーに位置する柱材２（コーナー柱2C）にはコーナー取付金具６が上下に２つ装着される。また、上側に装着される各中間金具の高さ、下側に装着される中間金具の高さが、それぞれ同じ高さとなるよう、フック41,51,61を係止させるスリット20を選択する。
【００１９】
（係止金具）
係止金具は、第一金具としての中間金具に装着される第二金具であって、図１及び図８に示すように、引掛金具７と、振れ止め金具８とが設けられている。
引掛金具７は、柱材２の上側に装着される中間金具に装着するための係止金具であり、図６に示すように、平板部70と、平板部70の背面に設けられたフック71と、平板部70の正面に設けられた掛止部72とを有している。フック71は、中間金具のフック41,51,61と同形状であり、平板部70の背面端部に設けられている。掛止部72は、平板部70から水平方向に張り出し上側に屈曲する側面視鉤型に形成された棒部材であり、平板部70の正面であってフック71と反対側の端部に、縦方向に並んで２つ設けられている。そして、引掛金具７は、図８、図９に示すように、フック71を各中間金具の柱部42,52,62に設けられたスリット43,53,63（図３乃至５参照）に係止させることにより、各中間金具に装着される。
【００２０】
ここで、引掛金具７としては、図６に示すように、左右対称に形成された一対が設けられており、図８に示すように、両側取付金具４の右側の柱部42及び右用片側取付金具5Aに装着すると掛止部72が柱材２の右側に位置する右用引掛金具7Aと、両側取付金具４の左側の柱部42及び左用コーナー取付金具6Aの柱部62に装着すると掛止部72が柱材２の左側に位置する左用引掛金具7Bとが設けられている。
振れ止め金具８は、柱材２の下側に装着される中間金具に装着するための係止金具であり、図７に示すように、一方の側端が開口する上面視コ字型の差込部80と、差込部80の背面に設けられたフック81と、差込部80の開口側に固定可能な止めネジ82とを有している。差込部80は、正面板80aと背面板80bの片側の端部を側面板80cでつないだ形状であり、フック81は背面板80bの側面板側に設けられている。フック81の形状は引掛金具７のフック71と同様であるが、３つのフック81のうち最下部のフック81は、差込部80の下端部よりも垂下して形成されている。また、止めネジ82は、差込部80の正面板80aと背面板80bのそれぞれの開口側端部に上下に２つ設けられた孔に貫通可能に形成されている。そして、振れ止め金具８は、図８、図１０に示すように、フック81を各中間金具の柱部42,52,62に設けられたスリット43,53,63（図３乃至５参照）に係止させることにより、各中間金具に装着される。
【００２１】
ここで、振れ止め金具８としては、図７に示すように、左右対称に形成された一対が設けられており、図８に示すように、両側取付金具４の右側の柱部42及び右用片側取付金具5Aに装着すると差込部80の開口が右側となる右用振れ止め金具8Aと、両側取付金具４の左側の柱部42及び左用コーナー取付金具6Aの柱部62に装着すると差込部80の開口が左側となる左用振れ止め金具8Bとが設けられている。
（固定金具を用いたメッシュ部材３の取り付け）
上記構成を有する固定金具を用いて、柱材２にメッシュ部材３を取り付ける場合には、まず、各柱材２に中間金具を装着する。この際、各中間金具のスリット43,53,63の高さ位置が水平になるよう、フック41,51,61を係止する柱材２のスリット20の位置（上から何個目か）を一致させる。次に、上側に位置する中間金具に引掛金具７を装着する。すなわち、図９に示すように、右用片側取付金具5Aの柱部52の３つのスリット53に右用引掛金具7Aの３つのフック71を係止して右用引掛金具7Aを取り付ける。同様に、両側取付金具４の左側の柱部42の３つのスリット43（図３（Ａ）参照）に左用引掛金具7B（図６参照）の３つのフック71を係止して左用引掛金具7Bを装着する（図８参照）。なお、両側取付金具４とコーナー取付金具６に引掛金具７を装着する場合も同様である。そして、各引掛金具７の掛止部72にメッシュ部材３の網部31の横線を引っ掛ける。ここで、掛止部72のピッチ（水平な張り出し部の高さ）は、網部31のピッチ（横線の間隔）と合致するようにあらかじめ設計しておく。また、メッシュ部材３の横幅はパネル部材１の幅よりも短く、左右の引掛金具７の掛止部72の間の寸法は、メッシュ部材３の横幅よりもやや短い設定となっている。メッシュ部材３は、図８に示すように、左右の引掛金具７の掛止部72によって支持され、吊り下げられた状態となる。
【００２２】
次に、振れ止め金具８を中間金具に装着する。すなわち、図１０に示すように、右用片側取付金具5Aの柱部52のスリット53に右用振れ止め金具8Aのフック81を係止して右用振れ止め金具8Aを取り付け、同様に、両側取付金具４の左側の柱部42のスリット43（図３（Ａ）参照）に左用振れ止め金具8B（図７参照）のフック81を係止して左用振れ止め金具8Bを装着する（図８参照）。なお、両側取付金具４とコーナー取付金具６に振れ止め金具８を装着する場合も同様である。ここで、振れ止め金具８を装着する際には、止めネジ83を取り外しておき、メッシュ部材３の下端部を手前に引き差込部80の正面板80aと背面板80bの間にメッシュ部材３の枠部30を挟むようにした状態で、フック81をスリット43,53に係止する。そして、振れ止め金具８を取り付けてから、止めネジ83を固定する。
【００２３】
ここで、メッシュ部材３の下部を引掛金具７で支持させようとすると、中間金具を装着する柱材２のスリット20のピッチと、メッシュ部材３の網部31のピッチとの関係で、引掛金具７の掛止部72が網部31の横線に引掛からないことが起こり得る。しかし、上記したような振れ止め金具８を用いることにより、柱材２のスリット20のピッチとメッシュ部材３の網部31のピッチの違いを考慮することなく、メッシュ部材３の下部を保持できるものである。なお、止めネジ83のネジ穴が網部31の横線と合致して止めネジ83を差し込めない場合もありうるが、止めネジ83のネジ穴のピッチを網部31のピッチよりも小さくしておけば、少なくとも１つの止めネジ83を固定することができる。
【００２４】
なお、図１に示すように、隣接する２つのパネル部材１の表面にメッシュ部材３を並べて設ける場合には、中間柱2Aに両側取付金具４を取り付けたが、例えば図１の左側のパネル部材１にだけメッシュ部材３を取り付ける場合には、中間柱2Aに左用片側取付金具5Bを取り付ければよい。
（総括）
このように、本実施の形態は、パネル部材１の表面にメッシュ部材３を取り付ける場合、パネル部材１を挟む２つの柱材２のスリット20に固定金具を取り付けてメッシュ部材３を吊り下げるようにしているので、柱材２やパネル部材１を傷つけることがなく、取り付け作業も引っ掛けるだけなので極めて容易である。
【００２５】
また、中間金具として、中間柱2A用の両側取付金具４と、側柱2B用の片側取付金具５と、コーナー柱2C用のコーナー取付金具６とを設け、各中間金具に引掛金具７と振れ止め金具８を装着する構成としている。すなわち、メッシュ部材３を支持する係止金具としては、コーナー用の金具を設ける必要がない。また、メッシュ部材３の下方を支持する係止金具として、取り付けの際にメッシュ部材３の上下方向に移動可能な振れ止め金具８を用いているので、網部31のピッチにかかわらずメッシュ部材３の下部を係止可能である。
ここで、上記した実施の形態では、全体が格子状になったメッシュ部材３を取り付ける場合について述べているが、本発明は、例えば、側端部にのみ格子が形成されたパネル状の部材や、全体又は側端部にパンチ孔が形成された板部材などを取り付ける場合にも利用できる。すなわち、引掛金具７の掛止部72を、パネル端部の格子部やパンチ孔に係止して、それらを吊り下げることも可能である。この場合にも、吊り下げ部材の下端部は振れ止め金具８（止めネジ83無し）で保持させれば、吊り下げた部材がばたつくこともない。
【００２６】
さらに、中間金具に、他の取付部材用の係止金具を装着すれば、それらの取付部材を取り付け可能となる。例えば、丸パイプや角バーなど、形状の異なる取付部材を所定の高さで横方向に取り付ける場合には、丸パイプ用の係止金具、角バー用の係止金具を中間金具に装着して、それらを容易に柱材２に取り付け可能である。この際、先に中間金具を水平方向に並べて装着してから、係止金具を介して丸パイプ等を取り付けることにより、左右の位置合わせをしながら取り付けるよりも容易に水平状態に取り付けることができる。また、柱材２に応じた中間金具が、複数種類の取付部材の取り付け時に共用できるようになっているので、取付部材に対応する部材は小型化できるとともに種類も少なくて済み、コスト削減を図ることができる。
【符号の説明】
【００２７】
１  パネル部材                    ２  柱材
３  メッシュ部材（垂下体）        ４  両側取付金具（第一金具）
５  片側取付金具（第一金具）      ６  コーナー取付金具（第一金具）
７  引掛金具（第二金具）          ８  振れ止め金具（第二金具・保持金具）
20  スリット（係止孔）
30  枠部                          31  網部（開口部）
40  平板部                        41  フック（第一係止部）
42  柱部                          43  スリット（第一係止孔）
50  平板部                        51  フック（第一係止部）
52  柱部                          52  スリット（第一係止孔）
60  平板部                        61  フック（第一係止部）
62  柱部                          63  スリット（第一係止孔）
70  平板部                        71  フック（第二係止部）
72  掛止部（支持部）
80  差込部（支持部）              81  フック（第二係止部）
82  止めネジ
【図１】
2013181307.tif 000003
【図２】
2013181307.tif 000004
【図３】
2013181307.tif 000005
【図４】
2013181307.tif 000006
【図５】
2013181307.tif 000007
【図６】
2013181307.tif 000008
【図７】
2013181307.tif 000009
【図８】
2013181307.tif 000010
【図９】
2013181307.tif 000011
【図１０】
2013181307.tif 000012